(57)【要約】【課題】  外装部材とカバー部材を着脱可能とする機器を提供する。【解決手段】  外装部材（２０１）と、外装部材の外周面に装着されるカバー部材（２０４）とを有する機器であって、外装部材が、特定の方向において複数形成された穴部（２１３〜２１６）と、外周面の内側に穴部に対応して形成された第１の係合部（２１７〜２２０）とを有し、カバー部材が、穴部に挿入され、特定の方向とは異なる方向に変位して第１の係合部と係合する複数の第２の係合部（２０５ａ〜２０８ａ）を有する。【選択図】  図３
2005064347.tif 000002
【特許請求の範囲】
【請求項１】
外装部材と、該外装部材の外周面に装着されるカバー部材とを有する機器であって、
前記外装部材が、特定の方向において複数形成された穴部と、前記外周面の内側に前記穴部に対応して形成された第１の係合部とを有し、
前記カバー部材が、前記穴部に挿入され、前記特定の方向とは異なる方向に変位して前記第１の係合部と係合する複数の第２の係合部を有することを特徴とする機器。
【請求項２】
前記第２の係合部が前記穴部に対して前記外周面側への付勢力を与えることを特徴とする請求項１に記載の機器。
【請求項３】
前記第２の係合部が、前記特定の方向とは異なる方向であって、前記カバー部材の一端側に延びる係合爪を有することを特徴とする請求項１又は２に記載の機器。
【請求項４】
前記カバー部材が、前記穴部に挿入され、前記穴部に対して前記外周面側への付勢力を与える突起部を有することを特徴とする請求項１に記載の機器。
【請求項５】
前記カバー部材が、樹脂で形成されていることを特徴とする請求項１に記載の機器。
【発明の詳細な説明】
【技術分野】
【０００１】
本発明は、外装部材及びカバー部材の係合構造を有する機器に関するものである。
【背景技術】
【０００２】
カメラのグリップ部のように外装用筐体（カメラ本体の外装部材）に外装用カバー（グリップカバー）を装着するような機器においては、外装用カバーを外装用筐体に対して位置決めした状態で、両面テープ又は接着剤を用いて固定するものがある。
【０００３】
また、外装用カバーを外装用筐体に着脱可能に装着する機器においては、外装用カバーの両端部近傍に、外装用カバーの肉厚方向に突出する複数の係合爪を設け、これらの係合爪を外装用筐体に設けられた複数の係合爪に係合させるものがある。
【０００４】
一方、外装用カバーに、この厚み方向に突出した複数の係合部が設けられているとともに、外装用筐体に、各係合部と嵌合する複数の位置決め穴部が設けられており、上記の係合部が外装用筐体の内面を付勢する付勢面を有するものがある（例えば、特許文献１参照）。この構成では、係合部および位置決め穴部の嵌合により外装用カバーを外装用筐体に対して位置決めし、外装用カバーの開きを抑えながら外装用筐体に組み込むことができる。
【特許文献１】特開平５−３２５５１９号公報（第１図、第４図等）
【発明の開示】
【発明が解決しようとする課題】
【０００５】
しかし、両面テープ又は接着剤を用いて外装用カバーおよび外装用筐体を固定する構成では、外装用カバーを外装用筐体から取り外すのが困難であり、部品交換等の点で不都合が生じる。
【０００６】
しかも、両面テープを用いた場合には、両面テープの表面に付着した埃等により外装用カバーおよび外装用筐体の密着性が悪くなるおそれがあり、外装用カバーおよび外装用筐体の合わせ部分で段差が生じ、外観を損なうという問題がある。また、接着剤を用いた場合には、接着剤の乾燥時間が長くかかり、乾燥するまで外装用カバーを外装用筐体に対して密着固定しておかなければならず、組み立て作業性に問題がある。
【０００７】
ここで、外装用筐体および外装用カバーを着脱可能とする構成では、外装用カバーを外装用筐体から容易に取り外すことができ、部品交換等も簡単となる。
【０００８】
しかしながら、外装用カバーおよび外装用筐体を単に係合させるだけでは、外装用カバーおよび外装用筐体の合わせ部分で段差が生じ、外観を損なうという問題が残る。また、上記の着脱機構は、外装用カバーの装着時に外装用カバーの係合爪が外装用筐体の厚み方向に変位する構成となっているため、外装用筐体に外装用カバーの係合爪の変位を許容するためのスペースを確保しなければならない。これにより、外装用筐体が大型化してしまうという問題がある。
【０００９】
これに対し、特許文献１に開示されている構成では、外装用カバーの係合部に外装用筐体の内面を付勢する付勢面が設けられているため、外装用カバーおよび外装用筐体の合わせ部分で段差を生じることがなく、外装用カバーを外装用筐体に組み込むことができる。
【００１０】
しかしながら、外装用カバーを外装用筐体に組み込む際に、外装用カバーの係合部が外装用筐体の厚み方向に変位するため、外装用筐体内に係合部の退避スペースを設けなければならず、外装用筐体が大型化してしまう。また、係合部を位置決め穴部に嵌合させる構造では、係合部および位置決め穴部の嵌合寸法精度にもよるが、係合部の長手方向における位置決めが困難であるという問題がある。
【課題を解決するための手段】
【００１１】
本発明の機器は、外装部材と、該外装部材の外周面に装着されるカバー部材とを有する機器であって、外装部材が、特定の方向において複数形成された穴部と、外周面の内側に穴部に対応して形成された第１の係合部とを有し、カバー部材が、穴部に挿入され、特定の方向とは異なる方向に変位して第１の係合部と係合する複数の第２の係合部を有することを特徴とする。
【００１２】
本発明は、カメラ本体の外装部材および該外装部材に取り付けられるグリップカバーからなるカメラのグリップ部分の構造に適用したり、カメラのストロボユニットの構造に適用したりすることができる。
【発明の効果】
【００１３】
本発明によれば、カバー部材に形成された第２の係合部を外装部材の第１の係合部に係合させるだけで、カバー部材を外装部材に取り付けることができる。これにより、カバー部材および外装部材の組み立てを容易に行うことができるとともに、従来のように接着剤等で固定していないため、カバー部材等を分解して部品交換等を行うことができる。
【００１４】
しかも、第２の係合部を特定の方向と異なる方向に変位させて第１の係合部に係合させるため、外装部材の特定の方向（例えば、従来例のように外装用筐体の厚み方向）において第２の係合部の退避スペースを確保する必要がなくなり、機器の小型化を図ることができる。
【００１５】
第２の係合部により穴部に対して外装部材の外周面側への付勢力を与えれば、カバー部材および外装部材を密着させることができ、これらの部材の当接面にずれが生じて機器の外観が損なわれるのを防止することができる。ここで、カバー部材を樹脂で形成すれば、カバー部材を弾性変形させた状態で外装部材に組み込むことで、上記の付勢力を発生させることができる。そして、第２の係合部（係合爪）および第１の係合部の係合によって、外装部材への付勢方向とは異なる方向においてもカバー部材を位置決めすることができる。
【００１６】
また、第２の係合部に、上記の特定の方向とは異なる方向であって、カバー部材の一端側に延びる係合爪を設けることにより、スライド型をカバー部材の一端側にスライドさせることでカバー部材を容易に成形することができる。
【００１７】
さらに、カバー部材に、外装部材の穴部に挿入され、この穴部に対して外装部材の外周面側への付勢力を与える突起部を設ければ、第２の係合部を変位させるだけの厚みに形成することができるとともに、突起部により外装部材への付勢力を補うことができる。
【発明を実施するための最良の形態】
【００１８】
以下、本発明の実施例について説明する。
【実施例１】
【００１９】
本発明の実施例１におけるカメラシステムについて説明する。図１は、本実施例におけるカメラシステムの内部構造を示したものである。本実施例のカメラシステムは、カメラ本体１５と、カメラ本体１５に着脱可能に装着されるレンズ装置１とで構成されている。ここで、レンズ装置１がカメラ本体１５に装着されることで、レンズ装置１およびカメラ本体１５間でデータの通信を行うことができるようになっている。
【００２０】
図１において、レンズ装置１内には、撮影光学系を構成する撮影レンズ１ａ、１ｂと、絞り１３が配置されている。なお、図１では、撮影光学系を便宜上２枚の撮影レンズ１ａ、１ｂで示しているが、実際には複数のレンズ群で構成されている。
【００２１】
撮影レンズ１ａは、レンズ駆動ユニット１２からの駆動力を受けることで光軸方向に移動可能となっている。また、絞り１３は、絞り駆動ユニット１６によって駆動され、光通過口の開口面積を変化させることで像面に入射する撮影光の光量を調節する。
【００２２】
２は主ミラーであり、撮影光路に対して進退可能となっている。主ミラー２が撮影光路上に斜設されている場合において、主ミラー２は、撮影レンズ１ａ、１ｂを透過した被写体光束の一部を反射させるとともに、残りの光束を透過させる。
【００２３】
ここで、主ミラー２で反射した光束は、ピント板６上で結像するようになっている。そして、ピント板６を透過した光束は、ペンタプリズム７で正立像に変換された後、ファインダー光学系８に導かれる。このため、撮影者はファインダー９を覗くことにより被写体像を観察することができる。また、測光ユニット１４は、ペンタプリズム７を介して被写体光を受光することで、被写体輝度を測定（測光）する。この測光結果に基づいて、絞り１３の駆動が制御される。
【００２４】
一方、主ミラー２を透過した光束は、主ミラー２の背面（像面側）に設けられたサブミラー３で反射して、焦点検出ユニット１０に導かれる。焦点検出ユニット１０は、フィールドレンズ１０ａ、反射ミラー１０ｂ、１０ｄ、２次結像レンズ１０ｃ、撮像素子１０ｅを有しており、サブミラー３から導かれた被写体光を受光して、公知の位相差検出方式により撮影光学系の焦点調節状態を検出する。この焦点調節状態に基づいて、撮影レンズの駆動制御（合焦動作）が行われる。
【００２５】
主ミラー２が撮影光路から退避しているとき、撮影レンズ１ａ、１ｂを透過した被写体光束は、像面側に向かうようになっている。４はフォーカルプレンシャッタであり、像面に入射する被写体光の光量（露光量）を調節する。
【００２６】
５は、ＣＣＤやＣＭＯＳイメージセンサ等の固体撮像素子であり、被写体光を受光して、この受光量に応じた信号（画像データ）を出力する。固体撮像素子５から出力された画像データは、所定の画像処理（色処理等）が施された後、表示部１１に撮影画像として表示される。これにより、撮影者はカメラシステムの外部から表示部１１に表示された撮影画像を観察することができる。また、上記の画像データは、カメラ本体１に着脱可能に装着される記録媒体（不図示）に記録される。なお、本実施例のカメラシステムでは、固体撮像素子５を用いた例について説明したが、フィルムを用いた構成であってもよい。
【００２７】
図２は、本実施例におけるカメラ本体１５の正面図（Ａ）および背面図（Ｂ）を示したものである。
【００２８】
本実施例におけるカメラ本体１５の外装は、カメラ本体１５の前面を形成する前カバー（外装部材）２０１、カメラ本体１５の上面を形成する上カバー２０２およびカメラ本体１５の背面を形成する後カバー２０３で構成されており、これらのカバー２０１〜２０３は、樹脂又は金属で形成されている。
【００２９】
前カバー２０１は、撮影者がカメラ本体１５を保持するためのグリップ部（図４の２０１ａ）を有しており、このグリップ部の表面には別部材であるグリップカバー（カバー部材）２０４が装着されるようになっている。このグリップカバー２０４は、樹脂等で形成され、弾性変形することが可能となっている。また、前カバー２０１のグリップ部の内側には、電池等が配置される。
【００３０】
なお、カメラ本体１５には照明ユニット１７が設けられており、カメラ本体１５に収納される収納位置とカメラ本体１５から突出する突出位置との間で移動可能である。そして、照明ユニット１７は、突出位置にあるときに被写体に対して照明光を照射することができる。
【００３１】
以下、グリップカバー２０４を前カバー２０１に装着するための構造について図３〜図５を用いて説明する。図３はカメラ本体１５の側面図であり、前カバー２０１およびグリップカバー２０４の装着構造についても示している。ここで、図３（Ａ）は、カメラ本体１５の正面向かって右側における側面図であり、図３（Ｂ）は、カメラ本体１５の正面向かって左側の側面図である。
【００３２】
グリップカバー２０４は、この長手方向（図３の上下方向）と直交する方向において、曲率を有する弧状に形成されており、この内側には、突起部２０５、２０６、２０７、２０８が形成されている。
【００３３】
図３（Ａ）において、グリップカバー２０４の上側には、グリップカバー２０４の長手方向に対して直交する方向に延びる２つの突起部２０５ａ、２０５ｂが対になって形成されており、これらの突起部２０５のうち一方の突起部（第２の係合部）２０５ａの先端には、グリップカバー２０４の上方向に延びる係止爪２０９が形成されている。また、グリップカバー２０４の下側には、グリップカバー２０４の長手方向に対して直交する方向に延びる２つの突起部２０６ａ、２０６ｂが対になって形成されており、これらの突起部２０６のうち一方の突起部（第１の係合部）２０６ａの先端には、グリップカバー２０４の下方向に延びる係止爪２１０が形成されている。
【００３４】
ここで、突起部２０５のうちグリップカバー２０４の上方に位置する突起部２０５ａに係止爪２０９を設けるとともに、突起部２０６のうちグリップカバー２０４の下方に位置する突起部２０６ａに係止爪２１０を設けているため、グリップカバー２０４の上下方向に金型をスライドさせることでグリップカバー２０４を容易に成形することができる。
【００３５】
一方、前カバー２０１のグリップ部の上下には、カメラ本体１５の厚み方向に延びる位置決め穴部２１３、２１４が形成されている。この位置決め穴部２１３、２１４にはそれぞれ、突起部２０５、２０６が入り込むようになっている。そして、位置決め穴部２１３の上面には、突起部２０５ａの係止爪２０９と係合する係止爪（第１の係合部）２１７が形成されており、位置決め穴部２１４の下面には、突起部２０６ａの係止爪２１０と係合する係止爪（第１の係合部）２１８が形成されている。
【００３６】
図３（Ｂ）において、グリップカバー２０４の上側には、グリップカバー２０４の長手方向と直交する方向に延びる２つの突起部２０７ａ、２０７ｂが対になって形成されており、これらの突起部２０７のうち一方の突起部（第２の係合部）２０７ａの先端には、グリップカバー２０４の上方向に延びる係止爪２１１が形成されている。また、グリップカバー２０４の下側には、グリップカバー２０４の長手方向に対して直交する方向に延びる２つの突起部２０８ａ、２０８ｂが対になって形成されており、これらの突起部２０８のうち一方の突起部（第２の係合部）２０８ａの先端には、グリップカバー２０４の下方向に延びる係止爪２１２が形成されている。
【００３７】
ここで、突起部２０７のうちグリップカバー２０４の上方に位置する突起部２０７ａに係止爪２１１を設けるとともに、突起部２０８のうちグリップカバー２０４の下方に位置する突起部２０８ａに係止爪２１２を設けているため、グリップカバー２０４の上下方向に金型をスライドさせることでグリップカバー２０４を容易に成形することができる。
【００３８】
一方、前カバー２０１のグリップ部の上下には、カメラ本体１５の厚み方向に延びる位置決め穴部２１５、２１６が形成されている。この位置決め穴部２１５、２１６にはそれぞれ、突起部２０７、２０８が入り込むようになっている。そして、位置決め穴部２１５の上面には、突起部２０７ａの係止爪２１１と係合する係止爪（第１の係合部）２１９が形成されており、位置決め穴部２１６の下面には、突起部２０８ａの係止爪２１２と係合する係止爪（第１の係合部）２２０が形成されている。
【００３９】
ここで、位置決め穴部２１３および位置決め穴部２１５や、位置決め穴部２１４および位置決め穴部２１６は、カメラ本体１５の横方向（特定の方向）において互いに対向する位置に形成されている。
【００４０】
上述した構成において、突起部２０５〜２０８をそれぞれ、位置決め穴部２１３〜２１６に挿入させることで、グリップカバー２０４が前カバー２０１のグリップ部に装着されることになる。
【００４１】
ここで、係止爪２０９、２１１が位置決め穴部２１３、２１５の上面に形成された係止爪２１７、２１９に係合し、係止爪２１０、２１２が位置決め穴部２１４、２１６の下面に形成された係止爪２１８、２２０に係合することで、グリップカバー２０４をカメラ本体１５の厚み方向（図３の左右方向）および高さ方向（図３の上下方向）で位置決めすることができる。
【００４２】
図４は、カメラ本体１５のグリップ部分のうちカメラ本体１の厚み方向における断面図であり、グリップカバー２０４が前カバー２０１に装着された状態を示している。
【００４３】
グリップカバー２０４を前カバー２０１に装着する際には、グリップカバー２０４を弾性変形させて組み込むようになっている。すなわち、前カバー２０１に組み込む前のグリップカバー２０４の曲率半径は、前カバー２０１のグリップ部２０１ａにおける曲率半径よりも大きくなっており、グリップカバー２０４をグリップ部２０１ａに沿った形状に弾性変形させることでグリップカバー２０４を前カバー２０１に装着することができる。
【００４４】
このため、グリップカバー２０４の突起部２０５は、位置決め穴部２１３に対して図４の矢印ｘ１方向の付勢力を与えることになる。また、グリップカバー２０４の突起部２０７は、位置決め穴部２１５に対して図４の矢印ｘ２方向の付勢力を与えることになる。
【００４５】
なお、図４では不図示であるが、突起部２０６は位置決め穴部２１４に対して突起部２０５と同様の付勢力を与え、突起部２０８は位置決め穴部２１６に対して突起部２０７と同様の付勢力を与えることになる。
【００４６】
次に、図５を用いてグリップカバー２０４を前カバー２０１に装着させる際の動作について説明する。図５は、グリップカバー２０４および前カバー２０１の係合部分のうちカメラ本体１５の縦方向における断面図である。
【００４７】
ここで、図５（Ａ）〜（Ｃ）は、グリップカバー２０４の上側に設けられた突起部２０５、２０７を前カバー２０１の位置決め穴部２１３、２１５に組み込むときの動作を示したものである。ここで、突起部２０５および突起部２０７の動作は同じであるため、以下の説明では突起部２０５のみについて説明する。
【００４８】
突起部２０５を位置決め穴部２１３に挿入していくと（図５（Ａ））、突起部２０５の係止爪２０９のテーパ面２０９ａが、位置決め穴部２１３の係止爪２１７のテーパ面２１７ａに当接する。さらに、突起部２０５が挿入されると、係止爪２０９のテーパ面２０９ａが係止爪２１７のテーパ面２１７ａに沿って移動することで、突起部２０５ａが図５（Ａ）の下方向（カメラ本体１５の高さ方向、カメラ本体１５の横方向に対して直交する方向）、すなわち、グリップカバー２０４の厚み方向と直交する方向に弾性変形する（図５（Ｂ））。
【００４９】
このとき、突起部２０５ａだけが弾性変形するようになっている。すなわち、弾性変形した突起部２０５ａが突起部２０５ｂに当接して突起部２０５ｂを変形させないように、突起部２０５ａおよび突起部２０５ｂの間隔を、突起部２０５ａの変形量よりも広く設定している。
【００５０】
図５（Ｂ）の状態から突起部２０５がさらに挿入すると、突起部２０５ａの係止爪２０９が係止爪２１７を乗り上げて、係止爪２１７に係合する。このとき、突起部２０５ａは、弾性変形した状態から元の状態（弾性変形のない状態）に復元する。
【００５１】
一方、図５（Ｄ）〜（Ｆ）は、グリップカバー２０４の下側に設けられた突起部２０６、２０８を前カバー２０１の位置決め穴部２１４、２１６に組み込むときの動作を示したものである。ここで、突起部２０６および突起部２０８の動作は同じであるため、以下の説明では突起部２０６のみについて説明する。
【００５２】
突起部２０６を位置決め穴部２１４に挿入していくと（図５（Ｄ））、突起部２０６ａの係止爪２１０のテーパ面２１０ａが、位置決め穴部２１４の係止爪２１８のテーパ面２１８ａに当接する。さらに、突起部２０６が挿入されると、係止爪２１０のテーパ面２１０ａが係止爪２１８のテーパ面２１８ａに沿って移動することで、突起部２０６ａが図５（Ｄ）の上方向（カメラ本体１５の上方向）に弾性変形する（図５（Ｅ））。
【００５３】
このとき、突起部２０６ａだけが弾性変形するようになっている。すなわち、弾性変形した突起部２０６ａが突起部２０６ｂに当接して突起部２０６ｂを変形させないように、突起部２０６ａおよび突起部２０６ｂの間隔を、突起部２０６ａの変形量よりも広く設定している。
【００５４】
図５（Ｅ）の状態から突起部２０６がさらに挿入すると、突起部２０６ａの係止爪２１０が係止爪２１８を乗り上げて、係止爪２１８に係合する。このとき、突起部２０６ａは、弾性変形した状態から元の状態（弾性変形のない状態）に復元する。
【００５５】
なお、本実施例では、図３（Ａ）に示すように、突起部２０５ａ、２０６ａに互いに反対方向に延びる係止爪２０９、２１０を設けたが、突起部２０５ｂ、２０６ｂの先端に互いに近づく方向に延びる係止爪を形成するようにしてもよい。この場合には、突起部２０５ｂ、２０６ｂに設けられた係止爪と係合するように、位置決め穴部２１３、２１４における係止爪の位置を変える必要がある。そして、突起部２０７、２０８についても、上記と同様の構成とすることができる。
【００５６】
本実施例によれば、グリップカバー２０４に設けられた突起部２０５〜２０８の係止爪２０９〜２１２を位置決め穴部２１３〜２１６の係止爪２１７〜２２０に係合させるだけでグリップカバー２０４を前カバー２０１に装着することができる。これにより、従来例のように接着剤を用いたり、溶着したりすることなく、グリップカバー２０４を前カバー２０１に固定できるため、組立作業性を向上させることができる。また、グリップカバー２０４を前カバー２０１から容易に取り外すことができる。
【００５７】
また、図４で説明したように、グリップカバー２０４は前カバー２０１に対してカメラ本体横方向（図４の矢印Ｘ１、Ｘ２方向）で付勢しているため、グリップカバー２０４を前カバー２０１に対して容易に位置決めすることができるとともに、グリップカバー２０４および前カバー２０１を密着させることができる。このようにグリップカバー２０４を前カバー２０１に密着させることで、グリップカバー２０４および前カバー２０１の合わせ面がずれることによりカメラ本体の外観が損なわれるのを防止することができる。
【００５８】
本実施例では、グリップカバー２０４に２対の突起部２０５ａ（２０６ａ〜２０８ａ）、２０５ｂ（２０６ｂ〜２０８ｂ）を設けているため、位置決め穴部２１３（２１４〜２１６）に係合する突起部２０５ａを弾性変形しやすい程度の厚みにすることができるとともに、他方の突起部２０５ｂにより前カバー２０１（位置決め穴部２１３）に対する付勢力やグリップカバー２０４の強度を十分に補うことができる。
【００５９】
また、弾性変形する突起部２０５ａ（２０６ａ〜２０８ａ）は、グリップカバー２０４の厚み方向に対して直交する方向に変位するようになっているため、突起部をグリップカバーの厚み方向に変位させる係合構造（従来例）に比べて、グリップカバー２０４の厚み方向におけるスペースを小さくでき、カメラ本体の小型化を図ることができる。
【実施例２】
【００６０】
次に、本発明の実施例２におけるカメラシステムについて説明する。本実施例のカメラシステムの内部構成は、実施例１で説明したカメラシステムの構成と同じであり、同じ部材については同一符号を用いる。以下、実施例１と異なる部分について説明する。
【００６１】
図６はカメラ本体１５の側面図であり、前カバー２０１およびグリップカバー２０４の装着構造についても示している。ここで、図６（Ａ）は、カメラ本体１５の正面向かって右側における側面図であり、図６（Ｂ）は、カメラ本体１５の正面向かって左側の側面図である。
【００６２】
図６（Ａ）において、グリップカバー２０４の上側には、グリップカバー２０４の長手方向に対して直交する方向に延びる２つの突起部２０５ａ、２０５ｂが対になって形成されており、これらの突起部２０５のうち一方の突起部２０５ａの先端には係止爪２０９が形成されている。また、グリップカバー２０４の下側には、グリップカバー２０４の長手方向に対して直交する方向に延びる２つの突起部２０６ａ、２０６ｂが対になって形成されており、これらの突起部２０６のうち一方の突起部２０６ａには係止爪２１０が形成されている。
【００６３】
一方、前カバー２０１のグリップ部の上下には、カメラ本体１５の厚み方向に延びる位置決め穴部２１３、２１４が形成されている。この位置決め穴部２１３、２１４にはそれぞれ、突起部２０５、２０６が入り込むようになっている。そして、位置決め穴部２１３の挿入口にはテーパ面２１３ａが形成されているとともに、奥側の上面には凹部（第２の係合部）２２１が形成されている。また、位置決め穴部２１４の挿入口にはテーパ面２１４ａが形成されているとともに、奥側の下面には凹部（第２の係合部）２２２が形成されている。
【００６４】
また、図６（Ｂ）において、グリップカバー２０４の上側には、グリップカバー２０４の長手方向に対して直交する方向に延びる２つの突起部２０７ａ、２０７ｂが対になって形成されており、これらの突起部２０７のうち一方の突起部２０７ａの先端には係止爪２１１が形成されている。また、グリップカバー２０４の下側には、グリップカバー２０４の長手方向に対して直交する方向に延びる２つの突起部２０８ａ、２０８ｂが対になって形成されており、これらの突起部２０８のうち一方の突起部２０８ａの先端には係止爪２１２が形成されている。
【００６５】
一方、前カバー２０１のグリップ部の上下には、カメラ本体１５の厚み方向に延びる位置決め穴部２１５、２１６が形成されている。この位置決め穴部２１５、２１６にはそれぞれ、突起部２０７、２０８が入り込むようになっている。そして、位置決め穴部２１５の挿入口にはテーパ面２１５ａが形成されているとともに、奥側の上面には凹部（第２の係合部）２２３が形成されている。また、位置決め穴部２１６の挿入口にはテーパ面２１６ａが形成されているとともに、奥側の下面には凹部（第２の係合部）２２４が形成されている。
【００６６】
上述した構成において、突起部２０５〜２０８をそれぞれ、位置決め穴部２１３〜２１６に挿入させることで、グリップカバー２０４が前カバー２０１のグリップ部に装着されることになる。
【００６７】
ここで、係止爪２０９、２１１が位置決め穴部２１３、２１５の上面に形成された凹部２２１、２２３に係合し、係止爪２１０、２１２が位置決め穴部２１４、２１６の下面に形成された凹部２２２、２２４に係合することで、グリップカバー２０４をカメラ本体１５の厚み方向（図６の左右方向）および高さ方向（図６の上下方向）で位置決めすることができる。
【００６８】
なお、本実施例では、位置決め穴部２１３〜２１６のそれぞれに、凹部２２１〜２２４を形成した構成について説明したが、位置決め穴部２１３〜２１６のうちいずれかの位置決め穴部に上記の凹部を設けるとともに、他の位置決め穴部に実施例１で説明したような係止爪を設けるようにしてもよい。
【００６９】
次に、図７を用いてグリップカバー２０４を前カバー２０１に装着させる際の動作について説明する。図７は、グリップカバー２０４および前カバー２０１の係合部分のうちカメラ本体１５の縦方向における断面図である。
【００７０】
ここで、図７（Ａ）〜（Ｃ）は、グリップカバー２０４の上側に設けられた突起部２０５、２０７を前カバー２０１の位置決め穴部２１３、２１５に組み込むときの動作を示したものである。ここで、突起部２０５および突起部２０７の動作は同じであるため、以下の説明では突起部２０５のみについて説明する。
【００７１】
突起部２０５を位置決め穴部２１３に挿入すると、突起部２０５の係止爪２０９のテーパ面２０９ａが、位置決め穴部２１３のテーパ面２１３ａに当接する（図７（Ａ））。さらに、突起部２０５が挿入されると、係止爪２０９のテーパ面２０９ａが位置決め穴部２１３のテーパ面２１３ａに沿って移動することで、突起部２０５ａが図７（Ａ）の下方向（カメラ本体１５の下方向）に弾性変形する（図７（Ｂ））。
【００７２】
このとき、突起部２０５ａだけが弾性変形するようになっている。すなわち、弾性変形した突起部２０５ａが突起部２０５ｂに当接して突起部２０５ｂを変形させないように、突起部２０５ａおよび突起部２０５ｂの間隔を、突起部２０５ａの変形量よりも広く設定している。
【００７３】
図７（Ｂ）の状態から突起部２０５がさらに挿入されると、突起部２０５ａの係止爪２０９が位置決め穴部２１３の凹部２２１に係合する（図７（Ｃ））。
【００７４】
一方、図７（Ｄ）〜（Ｆ）は、グリップカバー２０４の下側に設けられた突起部２０６、２０８を前カバー２０１の位置決め穴部２１４、２１６に組み込むときの動作を示したものである。ここで、突起部２０６および突起部２０８の動作は同じであるため、以下の説明では突起部２０６のみについて説明する。
【００７５】
突起部２０６についても、上述した突起部２０５の動作と同様である。まず、係止爪２１０のテーパ面２１０ａが位置決め穴部２１４のテーパ面２１４ａに当接し（図７（Ｄ））、このテーパ面２１４ａに沿って移動することで突起部２０６ａが弾性変形する（図７（Ｅ））。そして、突起部２０６が位置決め穴部２１４に所定量挿入されることで、係止爪２１０が位置決め穴部２１４の凹部に係合する（図７（Ｆ））。
【００７６】
このように、突起部２０５〜２０８のそれぞれが、位置決め穴部２１３〜２１６に挿入されることで、グリップカバー２０４が前カバー２１０に装着される。
【００７７】
本実施例においても、実施例１と同様の効果を得ることができる。また、本実施例では、グリップカバー２０４の上側に形成された突起部２０５ａ、２０７ａ（係止爪２０９、２１１）が位置決め穴部２１３、２１５の上面に当接するとともに、グリップカバー２０４の下側に形成された突起部２０６ａ、２０８ａ（係止爪２１０、２１２）が位置決め穴部２１４、２１６の下面に当接することで、グリップカバー２０４が前カバー２０１に対してカメラ本体上下方向に変位するのを阻止することができる。
【００７８】
なお、上述した実施例では、カメラシステムについて説明したが、カメラ本体およびレンズ装置が一体的に構成されたカメラについても適用することができる。また、上述した実施例では、カメラ本体のグリップ部分における構造について説明したが他の構造についても適用することができる。
【００７９】
例えば、図２における照明ユニット１７の構造について適用することができる。具体的には、照明ユニット１７が、照明ユニット１７の上面および両側面を形成する外装カバーと、光源等を保持し、外装カバーが装着される保持部材とで構成されているとき、外装カバーと保持部材に上述した実施例のような係合機構を設けることができる。
【００８０】
また、上述した実施例のようにカメラ本体の外装が複数のカバー（前カバー２０１、上カバー２０２および後カバー２０３）で構成されているときに、これらのカバーを互いに係合させる構造として上述した実施例の構造を適用することができる。
【図面の簡単な説明】
【００８１】
【図１】実施例１におけるカメラシステムの内部構造を示す図である。
【図２】実施例１におけるカメラ本体の正面図（Ａ）および背面図（Ｂ）である。
【図３】実施例１におけるカメラ本体の側面図であって、グリップカバーおよび前カバーの係合構造を示す図である。
【図４】カメラ本体のグリップ部分における横断面図である。
【図５】実施例１において、グリップカバーを前カバーに取り付けるときの説明図である。
【図６】実施例２におけるカメラ本体の側面図であって、グリップカバーおよび前カバーの係合構造を示す図である。
【図７】実施例２において、グリップカバーを前カバーに取り付けるときの説明図である。
【符号の説明】
【００８２】
２０１：前カバー
２０２：上カバー
２０３：後カバー
２０４：グリップカバー
２０５〜２０８：突起部
２０９〜２１２：グリップカバーの係合爪
２１３〜２１６：位置決め穴部
２１７〜２２０：前カバーの係合爪
２２１〜２２４：凹部
【図１】
2005064347.tif 000003
【図２】
2005064347.tif 000004
【図３】
2005064347.tif 000005
【図４】
2005064347.tif 000006
【図５】
2005064347.tif 000007
【図６】
2005064347.tif 000008
【図７】
2005064347.tif 000009